(57)【要約】【課題】患者が同時に複数の薬剤を使用しているかどうか、併用している場合にはそ医師または薬剤師は、薬剤併用に関する安全性のチェックを漏れなく行うことができ、サーバで薬剤情報データベースや患者データベースを管理し、複数の薬局や、医療機関と薬局との間で、情報を共有し、患者の服薬管理を漏れなく行う。【解決手段】入力装置２３と、表示装置２４と、カレンダーデータベースを蓄積した記憶装置２２とがＣＰＵ２１に接続されて構成される端末機２によって実施されるシステムであり、端末機２に患者名および処方薬剤名を入力すると、表示装置２４に、当該患者に処方された全ての薬剤毎の使用期間をカレンダー上にグラフ表示した薬歴カレンダーが表示される。【選択図】        図１
2004185181.tif 000002
【特許請求の範囲】
【請求項１】
入力装置と、表示装置と、カレンダーデータベースを蓄積した記憶装置とがＣＰＵに接続されて構成される端末機によって実施されるシステムであり、前記端末機に患者名および処方薬剤名を入力すると、前記表示装置に、当該患者に処方された全ての薬剤毎の使用期間をカレンダー上にグラフ表示した薬歴カレンダーが表示されることを特徴とする服薬管理システム。
【請求項２】
カレンダーデータベースを蓄積した記憶装置とＣＰＵとを備えたサーバが、薬剤情報を統括する機関に設置されていて、入力装置および表示装置を備えた端末機からインターネットを介して前記サーバへ接続可能であり、前記端末機に患者名および処方薬剤名を入力して前記サーバへ接続すると、当該患者に処方された全ての薬剤毎の使用期間をカレンダー上にグラフ表示した薬歴カレンダーが前記サーバから前記端末機へ送信されて前記表示装置に表示されることを特徴とする服薬管理システム。
【請求項３】
前記記憶装置に、処方薬剤の効能や副作用、禁忌、注意事項等からなる薬剤情報データベースが蓄積されていて、前記端末機に処方薬剤名を入力すると、カレンダー上にその日服用する薬剤の写真および製品名、用法、用量が表示された服薬カレンダーが作成される請求項１または２記載の服薬管理システム。
【請求項４】
前記端末機に患者名および処方薬剤名を入力すると、患者が使用する全ての処方薬剤に関する効能や副作用、注意事項等が前記表示装置に表示されるとともに、処方薬剤同士の相互作用が照合される請求項３記載の服薬管理システム。
【請求項５】
前記記憶装置に、患者の病歴や薬歴、体質等からなる患者情報データベースが蓄積されていて、前記端末機に患者名および処方薬剤名を入力すると、当該患者に対する処方薬剤の適合性がチェックされる請求項３または４記載の服薬管理システム。
【発明の詳細な説明】
【０００１】
【発明の属する技術分野】
本発明は、薬剤を処方された患者に対して医療機関または薬局が行う服薬管理システムに関し、患者が使用する薬剤の安全管理を行うとともに患者に対して薬剤の使用方法等を指導するために行う服薬管理システムに関するものである。
【０００２】
【従来の技術】
病院や診療所等の医療機関で診察を受けた患者は、医師によって薬剤を処方され、院内または院外の薬局で薬剤が与えられる。
【０００３】
薬剤は、製品によって、それぞれ用法や用量が異なり、正しく使用しなければ、効果が期待できないばかりでなく、危険を伴う場合がある。
【０００４】
また、薬剤には、通常、副作用があるため、医師または薬剤師は、処方薬剤の効能に加えて、起こりうる副作用の初期症状や対処等について、患者に適切な説明をしなければならない。従って、従来より、薬剤師が、薬剤の使用法や副作用、注意事項などの薬剤情報を記載した服薬指導書を患者に渡すとともに口頭で服薬指導を行い、患者が自己監視しながら正しく服薬し、危険を回避できるようにすることが行われている。
【０００５】
更に、複数種類の薬剤を使用する患者に対しては、薬剤同士の併用禁忌に抵触していないかどうかを厳しくチェックする必要があり、殊に、その患者が複数の医療機関や診療科を受診している場合には、一括して薬剤の使用状況を把握することが重要である。
【０００６】
【発明が解決しようとする課題】
ところが、薬剤師は、一度に複数種類の薬剤を処方された患者に対しては併用禁忌等のチェックを行うが、複数の医療機関や診療科を受診している患者に対して、複数種類の薬剤を使用する期間の有無等をチェックすることは、極めて面倒であり、業務の効率向上が望まれていた。
【０００７】
また、複数種類の薬剤を処方された患者自身も、多忙な日常生活の中で、薬剤毎の用法や用量を間違えたり、忘れてしまったりすることがあった。
【０００８】
本発明は、上記の問題を解決するためになされたものであり、殊に複数種類の処方薬剤を使用する患者に対して、薬剤毎の使用日時を視覚的に表示して服薬状況を把握しやすくするシステムを提供するものである。
【０００９】
【課題を解決するための手段】
そこで、本発明は、入力装置と、表示装置と、カレンダーデータベースを蓄積した記憶装置とがＣＰＵに接続されて構成される端末機によって実施されるシステムであり、端末機に患者名および処方薬剤名を入力すると、表示装置に、当該患者に処方された全ての薬剤毎の使用期間をカレンダー上にグラフ表示した薬歴カレンダーが表示されることとした。
【００１０】
また、第二の形態として、記憶装置およびＣＰＵが、薬剤情報を統括する機関に設置されたサーバ内に設けられていて、入力装置および表示装置を備えた端末機からインターネットを介してサーバへ接続可能であり、端末機に患者名および処方薬剤名を入力してサーバへ接続すると、当該患者に処方された全ての薬剤毎の使用期間をカレンダー上にグラフ表示した薬歴カレンダーがサーバから端末機へ送信されて表示装置に表示されることとした。
【００１１】
上記のように、薬歴カレンダーをグラフ表示させることによって、同時に使用している薬剤の有無やその種類が一目で確認できるので、薬剤師は、処方された薬剤の適不適を迅速に確認し、チェック漏れを防ぐことができる。
【００１２】
更に、記憶装置に、処方薬剤の効能や副作用、禁忌、注意事項等からなる薬剤情報データベースを蓄積することによって、カレンダー上にその日服用する薬剤の写真および製品名、用法、用量が表示された服薬カレンダーが作成されるものとすれば、患者自身が正しく薬剤を使用するための参考資料として利用することができる。また、薬剤情報データベースを検索して、薬剤が薬剤の副作用や相互作用のチェックを行うこともできる。
【００１３】
【発明の実施の形態】
本発明の実施の形態を図面に基づいて説明する。
【００１４】
図１は、本発明を実施する設備の一例であり、薬局または医療機関において、記憶装置２２、入力装置２３、および表示装置２４がそれぞれＣＰＵ２１に接続されて構成されるパソコン等からなる端末機２が設置され、更に、ＣＰＵ２１には印刷装置２５が接続されている。
【００１５】
記憶装置２２には、処方薬剤の製品毎のカラー写真や効能、副作用、禁忌、注意事項等からなる薬剤情報データベースと、年月日や曜日、祝日等が記憶されたカレンダーデータベースと、患者の住所氏名や保険証情報および薬歴、体質等からなる患者情報データベースを蓄積するエリアを有している。
【００１６】
図２は、本発明の実施手順を示すものである。
【００１７】
患者が病院または診療所等の医療機関を受診すると、症状に応じて医師が薬剤を処方し、処方箋が発行される。
【００１８】
患者は、薬局で処方箋を提出し、初めて薬局を訪れるときには、問診票に患者情報を記入して薬局に申請する。患者情報としては、住所、氏名、年齢、連絡先、保険証番号の他、過去から現在に至る主な病歴や、薬剤または食品等に対するアレルギーの有無、更に、現在治療中の疾病や使用中の薬剤があるかどうか等が記入される。これらの患者情報は、薬局の端末機２に入力され、患者情報データベースに蓄積される。
【００１９】
処方箋が提出され、薬剤師が端末機２を用いて患者名および処方薬剤名を入力すると、記憶装置２２内の各データベースが検索され、表示装置２４に薬歴カレンダー５０が表示される。
【００２０】
図３は、表示装置２４に表示された薬歴カレンダー５０の一例であり、上部には患者情報のうち年齢や性別等が表示され、その下方に、処方された薬剤の名称や用法、用量が記載された薬剤欄５１およびカレンダー欄５２が表示されている。
【００２１】
カレンダー欄５２には、上部の横方向に日付が刻まれ、その下側に、薬剤欄５１に表示された薬剤を使用する期間がグラフ表示されている。そして、患者情報データベースから当該患者の薬歴が検索されることにより、薬剤欄５１およびカレンダー欄５２には、当日処方された薬剤だけでなく、他の医療機関や診療科で処方された薬剤も含めて、現在患者が使用している全ての薬剤を同一画面上に表示させることができる。その場合には、例えば当日処方された薬剤に関する表示部を異なる色で表示し、区別できるようにする。
【００２２】
そして、例えば薬剤欄５１に表示された薬剤の名称をクリックすると、記憶装置２２に蓄積された薬剤情報データベースが検索されて、クリックした薬剤に関する薬剤情報を閲覧することができる。即ち、その薬剤に関する成分や効能、副作用、他の薬剤との併用や他に疾患を有する患者に対する禁忌、注意事項、および製品のカラー写真等が記載された薬剤情報が、表示装置２４に表示される。
【００２３】
更に、カレンダー欄５２の下部に表示された「アレルギー」「保険情報」等のアイコンをクリックすると、それぞれの項目に関する患者情報が表示装置２４に表示される。薬剤師は、患者情報のうち体質や病歴、薬歴等の情報と処方薬剤に関する薬剤情報とを照合して、処方された薬剤が、その患者にとって不適切な薬剤でないかどうかをチェックする。そして、不適切であると判断された場合には、処方箋を発行した医療機関または医師に疑義照会を行う。
【００２４】
次に、患者が複数の薬剤を使用していることがカレンダー欄５２に表示されると、併用禁忌等に触れるものがないかどうかをチェックする。併用禁忌のチェックは、例えば、薬剤欄５１の下方の「チェック」のアイコンをクリックすることによってチェックできるようにプログラムされる。そして、併用禁忌に抵触していると判断された場合には、医療機関または医師に疑義照会を行って、処方箋の修正等が行われる。
【００２５】
上記の薬剤診断により、処方薬剤が適切であると判断されると、カレンダー上に、今回処方された薬剤のうちその日に服用する薬剤製品のカラー写真および用法、用量が表示された図４に示すような服薬カレンダー６０が作成される。服薬カレンダー６０は、薬剤の注意事項等が記載された服薬指導書とともに印刷され、薬剤に添えて患者に渡されて、患者が正しく服薬するための参考書類とされる。同時に、薬剤師または医師は、注意事項等を口頭で説明して、服薬指導を行う。そして、処方された薬剤の名称およびその用法、用量は、薬歴として患者情報データベースに蓄積される。
【００２６】
図５は、本発明の異なる実施の形態を示し、前記のシステムを実施するＣＰＵ２１および記憶装置２２が、薬剤情報を統括管理する機関に設置されたサーバ１０内に設けられ、インターネットを介して、薬局２０に設置された端末機２からサーバ１０へ接続し、記憶装置２２に蓄積された患者情報データベースや薬剤情報データベースを検索できるようにしたものである。
【００２７】
各データベースをサーバ１０で統括することにより、全ての薬局において、常に最新の薬剤情報を検索することができるうえ、患者が複数の薬局を利用したり、転居等で従来とは異なる薬局を利用する場合でも、その都度患者情報を申請し直すことなく、本システムが適用される。しかも、複数の薬局を利用しても、患者が使用している薬剤を漏れなく検索して安全性をチェックすることができる。
【００２８】
そして、この場合には、インターネットに接続可能なパソコン３や移動体通信機器４を利用して、患者自身がサーバ１０内の自分の患者情報データベースに接続することができる。従って、例えば図４に示す服薬カレンダー６０を患者が所有するパソコン３や移動体通信機器４の表示画面に表示させ、薬剤の写真部分をクリックすると、その薬剤に関する効能や副作用、注意事項等の薬剤情報が表示されるようにして、服薬に関する自己管理に役立てることができる。
【００２９】
【発明の効果】
本発明によると、患者が同時に複数の薬剤を使用しているかどうか、併用している場合にはそれらの薬剤名が視覚的に表示されるので、医師または薬剤師は、薬剤併用に関する安全性のチェックを漏れなく行うことができる。
【００３０】
そして、サーバで薬剤情報データベースや患者データベースを管理し、インターネットを介してサーバ内の各データベースの情報を利用できるようにすれば、複数の薬局や、医療機関と薬局との間で、情報を共有し、患者の服薬管理を漏れなく行うことができる。
【図面の簡単な説明】
【図１】本発明が実施されるハードウェア構成を示すブロック図である。
【図２】本発明の実施手順を示す流れ図である。
【図３】本発明によって表示される薬歴カレンダーの一例を示す正面図である。
【図４】本発明によって作成される服薬カレンダーの一例を示す平面図である。
【図５】本発明が実施されるハードウェア構成の異なる形態を示す概略図である。
【符号の説明】
２  端末機、１０  サーバ、２１  ＣＰＵ、２２  記憶装置、２３  入力装置、２４  表示装置、２５  印刷装置、５０  薬歴カレンダー、６０  服薬カレンダー
【図１】
2004185181.tif 000003
【図２】
2004185181.tif 000004
【図３】
2004185181.tif 000005
【図４】
2004185181.tif 000006
【図５】
2004185181.tif 000007